(57)【要約】【課題】車載用ナビゲーション装置に適用することができて、複数のビルから所望の店舗又は会社等（テナント）を容易に探すことができる「ビル情報表示装置」を提供する。【解決手段】制御部は、ＨＤＤから読み出した地図データにより表示部に地図を表示する。その後、所定の操作が行われると、制御部は地図上に表示されたショッピングビルの施設データをＨＤＤから読み出し、各ショッピングビルに入居しているテナント（店舗）の名称又はアイコンを地図上のビルに重ねて表示する。このとき、各ショッピングビルの同一階（例えば９階）のテナントの名称又はアイコンを同時に表示する。【選択図】図９
2005257913.tif 000002
【特許請求の範囲】
【請求項１】
表示部と、
前記表示部に地図を表示するとともに、前記表示部に表示されたビルに入居しているテナントの情報を取得する制御部と、
前記制御部に操作信号を出力する操作部とを有し、
前記制御部は、前記地図上に表示された複数のビルの同一階に入居しているテナントの情報を前記表示部に同時に表示することを特徴とするビル情報表示装置。
【請求項２】
更に、地図データベース及び施設データベースを記憶した記憶部を有し、
前記制御部は、前記表示部に表示する地図のデータを前記地図データベースから取得するとともに、前記テナントの情報を前記施設データベースから取得することを特徴とする請求項１に記載のビル情報表示装置。
【請求項３】
前記制御部は、前記テナントの情報を外部のサーバから取得することを特徴とする請求項１に記載のビル情報表示装置。
【請求項４】
前記制御部は、前記表示部に表示するテナントのうち予め登録されたジャンルのテナントを、他のテナントと異なる様式で前記表示部に表示することを特徴とする請求項１に記載のビル情報表示装置。
【請求項５】
前記制御部は、前記操作部から入力される信号に応じてテナント情報の表示階を１階づつ変更することを特徴とする請求項１に記載のビル情報表示装置。
【発明の詳細な説明】
【技術分野】
【０００１】
本発明は、ビルに入居しているテナント（店舗及び会社等）の情報を表示するビル情報表示装置に関し、特に車載用ナビゲーション装置に適用可能なビル情報表示装置に関する。
【背景技術】
【０００２】
近年の車載用ナビゲーション装置では、ＤＶＤ（Digital Versatile Disk）又はハードディスク等の記憶装置に、地図データベースだけでなく、コンビニエンスストア、レストラン、ガソリンスタンド、観光地、遊園地、ショッピングビル及びオフィスビル等の多数の施設のデータ（以下、施設データという）により構成される施設データベースを記憶するようになった。この種の車載用ナビゲーション装置では、例えば地図上に表示されたショッピングビルやオフィスビルを選択して所定の操作を行うと、ショッピングビルやオフィスビルに入っているテナント（店舗や会社等）の名称が階別に表示される。また、ユーザが所望のテナントを選択すると、そのテナントの詳細情報（例えば、住所、電話番号及び営業時間等）が表示される。
【０００３】
特開平１１−３０９５２号公報には、目的とする建造物（ビル）を検索すると、その建造物を立体表示するとともに入居者の五十音順のリストを表示する情報案内装置が記載されている。この情報案内装置では、リストから所望の入居者を選択すると、選択した入居者の入居している階が強調表示される。
【特許文献１】特開平１１−３０９５２号公報
【発明の開示】
【発明が解決しようとする課題】
【０００４】
しかしながら、上述した車載用ナビゲーション装置では、ショッピングビルが立ち並ぶエリアでどのビルにどのような店舗が入っているのかを調べるためには、ビルを選択してそのビルに入っている店舗を表示させるという操作を何度も繰り返して行うことが必要である。例えば、ＣＤショップを探す場合、１つのショッピングビルを選択してそのビルに入居している店舗を表示させ、ＣＤショップがあるか否かを確認する。ＣＤショップがない場合、又はＣＤショップがあっても好みのショップでない場合は、店舗の表示を取り消した後、次のビルを選択してビルに入っている店舗を表示させる。このような操作を所望のＣＤショップが見つかるまで行うことが必要である。
【０００５】
特開平１１−３０９５２号公報に記載された情報案内装置も、検索された１つのビルの入居者のリストを表示するものであるので、上記の問題点を解決するものではない。
【０００６】
以上から、本発明の目的は、車載用ナビゲーション装置に適用することができて、複数のビルから所望の店舗又は会社等（テナント）を容易に探すことができるビル情報表示装置を提供することである。
【課題を解決するための手段】
【０００７】
上記した課題は、表示部と、前記表示部に地図を表示するとともに、前記表示部に表示されたビルに入居しているテナントの情報を取得する制御部と、前記制御部に操作信号を出力する操作部とを有し、前記制御部は、前記地図上に表示された複数のビルの同一階に入居しているテナントの情報を前記表示部に同時に表示することを特徴とするビル情報表示装置により解決する。
【０００８】
本発明においては、地図上に表示された複数のビルの同一階に入居しているテナントの情報を表示部に同時に表示する。このため、例えば１０階建てのショッピングビルが６棟立ち並ぶ場合であっても、１０回の操作で全てのテナントを確認することができ、従来に比べて操作性が大幅に向上する。
【０００９】
テナントの情報は、地図データベースとともに記憶部に記憶しておいてもよく、通信機を介して外部のサーバから取得するようにしてもよい。また、予め登録されたジャンルのテナントについては、他のテナントと異なる様式で目立つように表示部に表示することが好ましい。
【発明を実施するための最良の形態】
【００１０】
以下、本発明の実施形態について、添付の図面を参照して説明する。
【００１１】
図１は、本発明の実施の形態のビル情報表示装置を示すブロック図である。なお、本実施形態では、本発明を車載用ナビゲーション装置に適用した例について説明する。
【００１２】
この車載用ナビゲーション装置は、マイクロコンピュータにより構成される制御部１０と、ＨＤＤ（ハードディスクドライブ）１１、操作部１２、車両位置検出部１３、表示部１４及びメモリ１５とにより構成されている。
【００１３】
ＨＤＤ１１には、多数の地図データにより構成される地図データベースと、多数の施設データにより構成される施設データベースとが記憶されている。ＨＤＤ１１に記憶されている地図データベース及び施設データベースの詳細については後述する。
【００１４】
操作部１２には、当該車載用ナビゲーション装置を操作するための種々の操作ボタン等が設けられている。本実施形態では、操作部１２に、図２に示すように表示部１４の前面に配置されたタッチパネル１２ａが含まれている。ユーザが指でタッチパネル１２ａに触れると、指の接触位置に応じた信号がタッチパネル１２ａから制御部１０に出力される。
【００１５】
位置検出部１３は、ＧＰＳ（Global Positioning System ）衛星から送られてくる測位信号を受信するＧＰＳ受信機と、車両の回転角度を検出するジャイロと、一定の走行距離毎にパルスを発生する走行距離センサとにより構成される。制御部１０は、位置検出部１３からの信号に応じて車両の現在位置の緯度・経度を検出する。
【００１６】
表示部１４は例えば液晶パネルからなる。制御部１０は、表示部１４に車両の現在位置を含む地域の地図を表示したり、出発地から目的地までの誘導経路や車両位置マーク及びその他の案内情報を表示する。
【００１７】
メモリ１５には、制御部１０によりＨＤＤ１１から読み出された地図データや施設データが一時的に記憶される。
【００１８】
図３は、ＨＤＤ１１に記憶されている地図データベース及び施設データベースの構成を示す模式図である。この図３に示すように、地図データベース１ａを構成する地図データは、道路の描画や誘導経路探索等に使用する道路データと、海、川、池及び緑地等を描画するための背景データと、施設（建築物）を描画するための施設描画データと、市町村名などの行政区画名、道路名、交差点名及び建築物の名前や地図記号を表示するための文字・記号データとにより構成されている。施設描画データにより描画される施設のうち施設データベース１ｂに登録されている施設については、施設毎に固有の施設番号が付与されている。
【００１９】
施設データベース１ｂを構成する施設データにも施設毎に固有の施設番号が付与されており、地図上に表示される施設とリンクできるようになっている。各施設データには、それぞれ施設の名称、住所、ジャンル（コンビニエンスストア、レストラン、ガソリンスタンド、観光地、遊園地及びショッピングビル等の種別）等の情報が含まれている。更に、施設がショッピングビルの場合には、ショッピングビルの階数を示す情報（地階及び地上階のそれぞれの階数）と、階毎の情報とを有している。階毎の情報は１又は複数のテナント情報又はテナント群情報により構成される。
【００２０】
テナント情報は、図４（ａ）に示すように、そのテナントに固有の物件番号、テナントの名称、ジャンル（ＣＤショップ、本屋、レストラン及び電器店等の種別）、住所、アイコンデータ及びその他の詳細情報（電話番号及び営業時間等）により構成されている。また、テナント群情報は、図４（ｂ）に示すように、テナント群名（例えば、食堂街フロア、映画街フロア、オフィスフロア及びショッピングフロア等）と、テナント群を構成する各テナントの情報（テナント情報）とにより構成されている。テナント群情報に含まれるテナント情報の構成は、基本的に図４（ａ）に示すものと同じである。
【００２１】
以下、本実施形態のビル情報表示装置（車載用ナビゲーション装置）の動作について、図５に示すフローチャートを参照して説明する。
【００２２】
まず、ステップＳ１１において、階別表示モードに設定する。例えば、図６に示すように表示部１４に車両の現在位置の地図が表示されているとき（現在位置表示モードのとき）に、表示部１４に表示されているビルのうち所望のビルに指を触れると、タッチパネル１２ａから指の接触位置に応じた信号（操作信号）が制御部１０に出力される。これにより、制御部１０は、表示部１４にメインメニュー（図示せず）を表示する。このメインメニューで「情報を見る」の項目を選択すると、制御部１０は表示部１４に、図７に示すようなサブメニューを表示する。このサブメニューで「階別に表示」の項目を選択する（指を触れる）と、階別表示モードに設定される。
【００２３】
なお、図７に示すサブメニューで「ビル別に表示」の項目を選択すると、選択されたビルの階毎のテナント情報を表示する従来と同様のビル別表示モードになるが、ここではビル別表示モードの説明は省略する。
【００２４】
次に、ステップＳ１２において、制御部１０は表示部１４に表示されているビルのうちから施設データベース１ｂに登録されているビル、すなわち施設番号が付与されているビルを抽出する。ここでは、図６に示すＡビル、Ｂビル、Ｃビル及びＤビルの４つのビル（施設）が抽出されたものとする。その後、制御部１４は抽出したビルの施設データをＨＤＤ１１の施設データベース１ｂから読み出し、メモリ１５に保存する。
【００２５】
次に、ステップＳ１３に移行し、制御部１０はメモリ１５に保存した施設データを使用して各ビル毎の階数を調べる。ここでは、例えばＡビルは地下２階から９階まであり、Ｂビルは１階から１１階まであり、Ｃビル及びＤビルは１階から１０階まであるものとする。
【００２６】
次に、ステップＳ１４に移行し、制御部１０は表示階指定ボタンの画像を生成して表示部１４に表示する。
【００２７】
図８は、表示部１４に表示された表示階の指定ボタンの例を示す図である。この例では、図８に示すように、Ａビル、Ｂビル、Ｃビル及びＤビルの最下階から最上階までに対応した「Ｂ２（地下２階）」から「１１（１１階）」までの１３個の表示階指定ボタン３１が地図画像に重ねて表示される。なお、Ａビル、Ｂビル、Ｃビル及びＤビルのいずれにも物件情報が存在しない階がある場合は、その階に対応する表示階指定ボタン３１を表示しないか、又は選択できないようにグレーアウト表示することが好ましい。また、１画面に表示する表示階指定ボタン３１の数を例えば１０個までとし、階数が多い場合には表示階指定ボタン３１とともに「次へ」ボタン及び「前へ」ボタンを表示して、これらのボタンにより表示階指定ボタン３１の階表示を切替えるようにしてもよい。
【００２８】
次に、ステップＳ１５において、制御部１０はユーザが表示階指定ボタン３１を押したか否かを監視する。そして、この例ではユーザが「Ｂ２」から「１１」までのうちのいずれかの表示階指定ボタン３１を押すと、ステップＳ１６に移行する。
【００２９】
次に、ステップＳ１６において、制御部１０は、ユーザにより押された表示階指定ボタン３１に対応する階に入居している店舗（テナント）の名称若しくはアイコン又はテナント群名をＡビル、Ｂビル、Ｃビル及びＤビルにそれぞれ重ねて表示する。
【００３０】
次に、ステップＳ１７に移行し、制御部１０は表示指定階を変更する操作が行われたか否かを判定する。表示指定階を変更する操作が行われたと判定したときはステップＳ１６に戻り、指定された階にある店舗の名称若しくはアイコン又はテナント群名を表示する。
【００３１】
一方、ステップＳ１７で表示指定階を変更する操作が行われていないと判定したときはステップＳ１８に移行し、ビル情報の階別表示モードを終了するか否かを判定する。階別表示モードを終了する操作が行われていないと判定したときはステップＳ１７に戻り、階別表示モードを終了する操作が行われたと判定したときには階別表示モードを終了して現在位置表示モード（図６参照）に移行する。
【００３２】
図９は９階のテナント（店舗）情報を表示しているときの画面表示例、図１０は１０階のテナント情報を表示しているときの画面表示例、図１１は１１階のテナント情報を表示しているときの画面表示例を示している。
【００３３】
図９に示すように、９階のテナント情報を表示するときには、Ａビル、Ｂビル、Ｃビル及びＤビルの９階に入居している店舗の名称又はアイコンが、Ａビル、Ｂビル、Ｃビル及びＤビルの画像に重ね合わせてそれぞれ表示される。すなわち、テナント情報にアイコンデータが登録されている店舗についてはアイコンが表示され、テナント情報にアイコンデータが登録されていない店舗については店舗名が表示される。
【００３４】
ここで、ユーザが例えばＢビルの表示部分（この例では「やまだや電器」）に指を触れると、制御部１０は当該店舗の詳細情報をメモリ１５から読み出し、例えば図１２に示すように表示部１４にその店舗の詳細情報を表示する。また、図９に示す画面で「戻る」ボタン３２を押すと、ビル情報の階別表示モードを終了し、現在位置表示モードに戻って、図６に示すような画面が表示される。
【００３５】
更に、図９に示す画面で「ダウン」ボタン３３を押すと１つ下の階のテナント情報表示画面に変更され、「アップ」ボタン３４を押すと１つ上の階のテナント情報表示画面に変更される。なお、「ダウン」ボタン３３又は「アップ」ボタン３４を押したときに、Ａビル、Ｂビル、Ｃビル及びＤビルのいずれのビルにおいても１つ上の階又は１つ下の階のテナント情報が登録されていない場合は、テナント情報が登録されていない階をスキップして更に下の階又は更に上の階のテナント情報表示画面を表示するようにしてもよい。
【００３６】
図１０に示すように、１０階のテナント情報を表示するときには、Ｂビル、Ｃビル及びＤビルの１０階にそれぞれ店舗が入居しているので、これらのＢビル、Ｃビル及びＤビルが実線で表示される。この例では、Ｂビルには店舗名が表示され、Ｄビルには店舗のアイコンが表示される。また、Ｃビルにはテナント群情報に登録されたテナント群名（食堂街）が表示される。なお、Ａビルには１０階部分がないので、Ａビルは破線で表示される。
【００３７】
この図１０に示す画面でユーザが食堂街と表示されている部分（Ｃビル表示部分）に指を触れると、制御部１０は該当するテナント群情報からテナント情報を読み出し、表示部１４に食堂街を構成する食堂（テナント）のリストを表示する。そのリストから所望の食堂を選択すると、選択された食堂の詳細情報が表示される。
【００３８】
図１１に示すように、１１階のテナント情報を表示するときには、Ｂビルの１１階のみに店舗が入居しているので、Ｂビルのみが実線で表示され、Ｂビルに入居している店舗の名称が表示される。Ａビル、Ｃビル及びＤビルには１１階がないので、これらのビルは破線で表示される。
【００３９】
本実施形態においては、地図上に表示されたビルのうち施設データベースに登録されているショッピングビルについては、各ビルの同じ階に存在する店舗の名称若しくはアイコン又はテナント情報を画面上に同時に表示する。そして、「ダウン」ボタン３３及び「アップ」ボタン３４により表示階を簡単に変更することができる。これにより、所望の店舗がどのビルにあるのかを少ない操作で容易に知ることができ、所望の店舗を探すときに従来に比べて操作性が大幅に向上する。
【００４０】
なお、上記の実施形態では図８に示すように画面上に表示された表示階指定ボタン３１によりユーザが表示階を指定するものとしたが、本発明はこれに限定するものではない。例えば階別表示モードに設定されると、地図に表示されたエリアから施設データベースに登録されているショッピングビルを抽出し、それらのビルの１階、最上階又は前回の最後に表示した階のテナント情報を表示するようにしてもよい。
【００４１】
また、予めユーザが好みのジャンルを登録しておくと、登録されたジャンルの店舗を目立つように他の店舗と異なる様式で表示してもよい。例えばユーザが好みのジャンルとして電器店を登録した場合、制御部１０は階毎のテナント情報を表示する際に、好みのジャンルとして登録されたジャンルの店舗があるか否かを調べる。そして、登録されたジャンルの店舗がある場合は、例えば図１３に示すように店舗名の背景色と文字色とを反転させて表示部１４に表示する。
【００４２】
上記の実施形態ではショッピングビルに入っている店舗を表示する場合について説明したが、本発明はこれに限定されるものではなく、例えば複数の会社が入ったオフィスビルから所望の会社を探すこともできる。
【００４３】
また、上記の実施形態では本発明を車載用ナビゲーション装置に適用した例について説明したが、これにより本発明の適用範囲が車載用ナビゲーション装置に限定されるものではない。本発明は、例えばパーソナルコンピュータやＰＤＡ（Personal Digital Assistant）を使用したビル情報表示装置に適用することも可能である。
【００４４】
更に、上記の実施形態ではＨＤＤ１１に記録されている施設データを用いて各ビルのテナント情報を表示する場合について説明したが、例えば通信装置を介して所定のサーバに接続し、サーバから施設データを取得するようにしてもよい。この場合は、店舗の詳細情報を表示したときに、例えばその店舗の本日の特売品の情報等を表示することも可能になる。
【図面の簡単な説明】
【００４５】
【図１】図１は、本発明の実施の形態のビル情報表示装置（車載用ナビゲーション装置）の構成を示すブロック図である。
【図２】図２は、表示部の前面に配置されたタッチパネルを示す模式図である。
【図３】図３は、ＨＤＤに記憶されている地図データベース及び施設データベースの構成を示す模式図である。
【図４】図４（ａ）はテナント情報の構成を示す模式図、図４（ｂ）はテナント群情報の構成を示す模式図である。
【図５】図５は、本発明の実施形態のビル情報表示装置（車載用ナビゲーション装置）の動作を示すフローチャートである。
【図６】図６は、車両の現在位置の地図を表示するモードにおける画面の表示例を示す図である。
【図７】図７は、サブメニューの例を示す図である。
【図８】図８は、表示階指定ボタンの例を示す図である。
【図９】図９は、画面に９階のテナント情報を表示したときの例を示す図である。
【図１０】図１０は、画面に１０階のテナント情報を表示したときの例を示す図である。
【図１１】図１１は、画面に１１階のテナント情報を表示したときの例を示す図である。
【図１２】図１２は、店舗の詳細情報を表示したときの例を示す図である。
【図１３】図１３は、好みのジャンルとして登録されたジャンルの店舗を表示したときの例を示す図である。
【符号の説明】
【００４６】
１０…制御部、
１１…ＨＤＤ（ハードディスクドライブ）、
１２…操作部、
１２ａ…タッチパネル、
１３…位置検出部、
１４…表示部、
１５…メモリ、
３１…表示階指定ボタン、
３２…「戻る」ボタン、
３３…「ダウン」ボタン、
３４…「アップ」ボタン。
【図１】
2005257913.tif 000003
【図２】
2005257913.tif 000004
【図３】
2005257913.tif 000005
【図４】
2005257913.tif 000006
【図５】
2005257913.tif 000007
【図６】
2005257913.tif 000008
【図７】
2005257913.tif 000009
【図８】
2005257913.tif 000010
【図９】
2005257913.tif 000011
【図１０】
2005257913.tif 000012
【図１１】
2005257913.tif 000013
【図１２】
2005257913.tif 000014
【図１３】
2005257913.tif 000015